(57)【要約】【課題】複数のコンテンツを取り扱う場合に、不正コピーされたコンテンツが含まれていても、少なくとも不正コピーされたコンテンツの伝送を禁止にする。【解決手段】スイッチング制御回路１２において、不正判定回路１１１〜１１ｎそれぞれの判定結果を監視し、不正を示す判定結果の有無を判定する。不正を示す判定結果がなければ全スイッチ１３１〜１３ｎにオン指令を送り、全てのラインＬ１〜Ｌｎのコンテンツ伝送を許可する。これに対し、いずれかの不正判定回路１１１〜１１ｎで不正コピーが検出された場合には、全スイッチ１３１〜１３ｎにオフ指令を送り、全てのラインＬ１〜Ｌｎのコンテンツ伝送を遮断する。以上の処理により、不正コピーされたコンテンツは、多重化前に検出され遮断されるので、多重化信号により不正コピーされたコンテンツが伝送されてしまうことはなくなる。【選択図】    図１
2006127246.tif 000002
【特許請求の範囲】
【請求項１】
複数の伝送路の全部または一部で伝送されるコンテンツについて不正に入手されたものか否かを判定する不正判定手段と、
前記複数の伝送路それぞれで伝送されるコンテンツを選択的に導出する複数のスイッチと、
前記不正判定手段の判定結果に基づいて少なくとも不正と判定されたコンテンツの伝送を遮断するように前記複数のスイッチを制御する制御手段とを具備することを特徴とするコンテンツ選択装置。
【請求項２】
前記制御手段は、いずれかの伝送路で不正が検出された場合には、全ての伝送路のコンテンツ伝送を遮断するように前記複数のスイッチを制御することを特徴とする請求項１記載のコンテンツ選択装置。
【請求項３】
前記制御手段は、いずれかの伝送路で不正が検出された場合には、不正が検出された伝送路に対してのみコンテンツ伝送を遮断するように前記複数のスイッチを制御することを特徴とする請求項１記載のコンテンツ選択装置。
【請求項４】
前記不正判定手段は、予め不正の程度に応じて決定される許可レベルに基づいて不正を検出し、検出時に対応する許可レベルを出力するものとし、
前記制御手段は、前記不正判定手段から出力される許可レベルを閾値と比較し、比較結果に基づいて選択的にコンテンツ伝送を遮断するように前記複数のスイッチを制御することを特徴とする請求項１記載のコンテンツ選択装置。
【請求項５】
前記コンテンツにコピーフリーか否かを示すコピー情報が含まれているとき、さらに前記伝送路から前記コンテンツを取り込んで前記コピー情報を検出し、当該コピー情報からコピーフリーか否かを判別するコピー情報判別手段を備え、
前記制御手段は、前記コピー情報判別手段でコピーフリーでないことが判別された場合に、少なくとも当該コピー情報を含むコンテンツ伝送を遮断するように、前記複数のスイッチを制御することを特徴とする請求項１記載のコンテンツ選択装置。
【請求項６】
複数の伝送路の全部または一部で伝送されるコンテンツについて不正に入手されたものか否かを判定する不正判定手段と、
前記複数の伝送路それぞれで伝送されるコンテンツを選択的に導出する複数のスイッチと、
前記複数のスイッチで選択的に導出されるコンテンツを多重する多重化手段と、
前記不正判定手段の判定結果に基づいて少なくとも不正と判定されたコンテンツの伝送を遮断するように前記複数のスイッチを制御する制御手段とを具備することを特徴とするコンテンツ多重化装置。
【請求項７】
前記制御手段は、いずれかの伝送路で不正が検出された場合には、全ての伝送路のコンテンツ伝送を遮断するように前記複数のスイッチを制御することを特徴とする請求項６記載のコンテンツ多重化装置。
【請求項８】
前記制御手段は、いずれかの伝送路で不正が検出された場合には、不正が検出された伝送路に対してのみコンテンツ伝送を遮断するように前記複数のスイッチを制御することを特徴とする請求項６記載のコンテンツ多重化装置。
【請求項９】
前記不正判定手段は、予め不正の程度に応じて決定される許可レベルに基づいて不正を検出し、検出時に対応する許可レベルを出力するものとし、
前記制御手段は、前記不正判定手段から出力される許可レベルを閾値と比較し、比較結果に基づいて選択的にコンテンツ伝送を遮断するように前記複数のスイッチを制御することを特徴とする請求項６記載のコンテンツ多重化装置。
【請求項１０】
前記コンテンツにコピーフリーか否かを示すコピー情報が含まれているとき、さらに前記伝送路から前記コンテンツを取り込んで前記コピー情報を検出し、当該コピー情報からコピーフリーか否かを判別するコピー情報判別手段を備え、
前記制御手段は、前記コピー情報判別手段でコピーフリーでないことが判別された場合に、少なくとも当該コピー情報を含むコンテンツ伝送を遮断するように、前記複数のスイッチを制御することを特徴とする請求項６記載のコンテンツ多重化装置。
【請求項１１】
複数の伝送路の全部または一部で伝送されるコンテンツについて不正に入手されたものか否かを判定する不正判定過程と、
前記複数の伝送路それぞれで伝送されるコンテンツを選択的に導出するコンテンツ選択過程と、
前記不正判定過程の判定結果に基づいて少なくとも不正と判定されたコンテンツの伝送を遮断するように前記コンテンツ選択過程を制御する制御過程とを具備することを特徴とするコンテンツ選択方法。
【請求項１２】
複数の伝送路の全部または一部で伝送されるコンテンツについて不正に入手されたものか否かを判定する不正判定過程と、
前記複数の伝送路それぞれで伝送されるコンテンツを選択的に導出するコンテンツ選択過程と、
前記コンテンツ選択過程で選択的に導出されるコンテンツを多重化する多重化過程と、
前記不正判定過程の判定結果に基づいて少なくとも不正と判定されたコンテンツの伝送を遮断するように前記コンテンツ選択過程を制御する制御過程とを具備することを特徴とするコンテンツ多重化方法。
【発明の詳細な説明】
【技術分野】
【０００１】
この発明は、例えば複数のコンテンツを同時に選択し多重再生を可能とするコンテンツ選択装置、コンテンツ多重化装置、コンテンツ選択方法及びコンテンツ多重化方法に係り、特に一部のコンテンツが不正コピーされたものであるときの著作権保護技術に関する。
【背景技術】
【０００２】
周知のように、近年では、映像や音声のコンテンツがデジタルで記録再生可能となり、例えばビデオカメラで撮影した映像コンテンツにＤＶＤ（Digital Versatile Disk）オーディオディスクの再生音声コンテンツを多重し記録するといった編集が容易にできるようになった。
【０００３】
一方、コンテンツのデジタル化は劣化なくかつ短時間にコピー可能であることから、著作権保護が強く要望され、そのための暗号化やコピー制限機能に関する種種の規格が取り決められている。例えば、ＤＶＤのコンテンツ保護規定として、CPPM COMPLIANCE RULES FOR DVD-AUDIOが規定されている。特に、ＣＰＰＭ（Content Protection for Prerecorded Media）及びＣＰＲＭ（Content Protection for Recordable Media）では暗号化されていないオーディオ信号を再生する際にウォータマーク検出を義務づけており、ウォータマークが検出され、それがコピーフリー以外を示すものであった場合には、オーディオ再生を禁止する規則がある。その詳細については、非特許文献１に紹介されている。
【０００４】
ところで、上記保護規定によれば、コンテンツの復号再生後のウォータマーク検出結果から不正コピーされたものであるか否かを判別し、不正コピーの場合には再生出力を禁止する。しかしながら、上記のようなデジタル処理でコンテンツが多重されている場合には、多重化によって再生出力から各コンテンツのウォータマークが得られなくなり、不正コピーされたコンテンツが再生されてしまうことになる。
【０００５】
尚、本発明に関係する技術として、特許文献１に、多重化されたプログラムの一つのコピー禁止のプログラムが存在した場合に、コピー許可情報を元にデジタル記録が制限され、コピー禁止のプログラム以外のプログラムまで記録できなくなる問題を解消する技術が開示されている。しかしながら、この技術はコピー許可情報に基づいてストリームのコピー（記録）を制御するものであって、本発明が不正コピーを検出して再生禁止を行うものとは処理内容が異なる。
【非特許文献１】東芝レビュー２００３年６月号Vol.58「ＤＶＤのコンテンツ保護」
【特許文献１】特開２００２−３０５７１５号公報
【発明の開示】
【発明が解決しようとする課題】
【０００６】
以上述べたように、従来では、複数の映像・音声コンテンツを編集等で取り扱う場合に、いずれかのコンテンツが不正コピーされたものがあると、そのコンテンツの再生が看過されてしまうおそれがあった。
【０００７】
そこで、この発明は上記事情を考慮してなされたもので、複数のコンテンツを取り扱う場合に、不正コピーされたコンテンツが含まれていても、少なくとも不正コピーされたコンテンツの伝送を禁止させることのできるコンテンツ選択装置、コンテンツ多重化装置、コンテンツ選択方法及びコンテンツ多重化方法を提供することを目的とする。
【課題を解決するための手段】
【０００８】
この発明に係るコンテンツ選択装置は、複数の伝送路の全部または一部で伝送されるコンテンツについて不正に入手されたものか否かを判定する不正判定手段と、前記複数の伝送路それぞれで伝送されるコンテンツを選択的に導出する複数のスイッチと、前記不正判定手段の判定結果に基づいて少なくとも不正と判定されたコンテンツの伝送を遮断するように前記複数のスイッチを制御する制御手段とを具備して構成される。
【０００９】
また、この発明に係るコンテンツ多重化装置は、複数の伝送路の全部または一部で伝送されるコンテンツについて不正に入手されたものか否かを判定する不正判定手段と、前記複数の伝送路それぞれで伝送されるコンテンツを選択的に導出する複数のスイッチと、前記複数のスイッチで選択的に導出されるコンテンツを多重する多重化手段と、前記不正判定手段の判定結果に基づいて少なくとも不正と判定されたコンテンツの伝送を遮断するように前記複数のスイッチを制御する制御手段とを具備して構成される。
【００１０】
また、この発明に係るコンテンツ選択方法は、複数の伝送路の全部または一部で伝送されるコンテンツについて不正に入手されたものか否かを判定する不正判定過程と、前記複数の伝送路それぞれで伝送されるコンテンツを選択的に導出するコンテンツ選択過程と、前記不正判定過程の判定結果に基づいて少なくとも不正と判定されたコンテンツの伝送を遮断するように前記コンテンツ選択過程を制御する制御過程とを具備して構成される。
【００１１】
また、この発明に係るコンテンツ多重化方法は、複数の伝送路の全部または一部で伝送されるコンテンツについて不正に入手されたものか否かを判定する不正判定過程と、前記複数の伝送路それぞれで伝送されるコンテンツを選択的に導出するコンテンツ選択過程と、前記コンテンツ選択過程で選択的に導出されるコンテンツを多重化する多重化過程と、前記不正判定過程の判定結果に基づいて少なくとも不正と判定されたコンテンツの伝送を遮断するように前記コンテンツ選択過程を制御する制御過程とを具備して構成される。
【発明の効果】
【００１２】
上記した発明によれば、複数のコンテンツを取り扱う場合に、不正コピーされたコンテンツが含まれていても、少なくとも不正コピーされたコンテンツの伝送を禁止させることのできるコンテンツ選択装置、コンテンツ多重化装置、コンテンツ選択方法及びコンテンツ多重化方法を提供することができる。
【発明を実施するための最良の形態】
【００１３】
以下、この発明の実施の形態について図面を参照して詳細に説明する。
【００１４】
図１は本発明に係るコンテンツ多重化装置の構成を示すブロック図である。この装置では、第１乃至第ｎのコンテンツ伝送ラインＬ１〜Ｌｎ上にそれぞれ第１乃至第ｎの不正判定回路１１１〜１１ｎが配置される。これらの不正判定回路１１１〜１１ｎは、それぞれ入力コンテンツを規格に照らし合わせて不正コピーか否かを判定し、その判定結果をスイッチング制御回路１２に通知する。
【００１５】
また、上記ラインＬ１〜Ｌｎ上において、不正判定回路１１１〜１１ｎの後段には、ライン出力をオン・オフするための第１乃至第ｎのスイッチ１３１〜１３ｎが配置される。これらのスイッチ１３１〜１３ｎは、それぞれスイッチング制御回路１２からの制御信号に応じてラインＬ１〜Ｌｎの伝送コンテンツの導出を選択的に遮断する。
【００１６】
上記スイッチ１３１〜１３ｎで選択的に導出される各ラインＬ１〜Ｌｎの伝送コンテンツは多重化回路１４に送られて、所定のフォーマットで多重化される。この多重化されたコンテンツは、例えばディスプレイに表示されたり、記録装置により記録メディアに記録されたりする。
【００１７】
上記構成において、スイッチング制御回路１２では、図２に示すように、不正判定回路１１１〜１１ｎそれぞれの判定結果を監視し（ステップＳ１１）、不正を示す判定結果の有無を判定する（ステップＳ１２）。不正を示す判定結果がなければ全スイッチ１３１〜１３ｎにオン指令を送り、全てのラインＬ１〜Ｌｎのコンテンツ伝送を許可する（ステップＳ１３）。これに対し、いずれかの不正判定回路１１１〜１１ｎで不正コピーが検出された場合には、全スイッチ１３１〜１３ｎにオフ指令を送り、全てのラインＬ１〜Ｌｎのコンテンツ伝送を遮断する（ステップＳ１４）。
【００１８】
以上の処理により、不正コピーされたコンテンツは、多重化前に検出され遮断されるので、多重化信号から不正コピーされたコンテンツが再生されることはなくなる。
【００１９】
尚、上記実施形態では、不正コピー検出時には全てのラインＬ１〜Ｌｎのコンテンツ伝送を遮断するものとしたが、不正コピーが検出されたラインのみコンテンツ伝送を遮断するようにしてもよい。この場合は、不正コピーされたコンテンツを除いてコンテンツ多重を行うことができる。
【００２０】
また、上記実施形態では、全てのラインＬ１〜Ｌｎに不正判定回路１１１〜１１ｎを配置するようにしたが、不正コピーされたコンテンツが伝送される可能性のあるラインだけでよく、例えばＤＶＤ再生装置の再生コンテンツを伝送するラインに不正判定回路を設け、デジタル放送受信装置の受信コンテンツを伝送するラインには不正判定回路を設けないといったことも考えられる。
【００２１】
また、上記実施形態では、不正と判定した場合の多重化選択の方法として、不正と判定されたコンテンツのみを多重化対象としない方法と、全てのコンテンツを多重化対象としない方法について説明したが、伝送コンテンツが各々多重化の可否を示す多重化許可レベルを有するとき、多重化許可レベルが予め決められたレベルに満たないコンテンツは不正と判定して多重化対象にしないという優先度判定方法もある。
【００２２】
上記優先度判定方法を採用した場合のスイッチング制御回路１２の処理の流れを図３に示す。
【００２３】
まず、説明を簡単にするため、ここでは、予め不正判定回路１１１〜１１ｎにそれぞれ第１乃至第ＭのＭ段階許可レベル（許可レベルの優先順位は、第１許可レベル＞…＞第Ｋ許可レベル＞…＞第Ｍ許可レベルとする）を設定しておくものとする。
【００２４】
図３において、スイッチング制御回路１２では、不正判定回路１１１〜１１ｎそれぞれの判定結果を監視し（ステップＳ２１）、不正を示す判定結果の有無を判定する（ステップＳ２２）。この判定で不正を示す判定結果があった場合には、第１乃至第Ｍ許可レベルそれぞれの不正判定結果を検索する（ステップＳ２３１〜Ｓ２３Ｍ）。ステップＳ２２で不正を示す判定結果がなかった場合には、全スイッチ１３１〜１３ｎにオン指令を送り、全てのラインＬ１〜Ｌｎのコンテンツ伝送を許可する（ステップＳ２４）。
【００２５】
また、ステップＳ２３１〜Ｓ２３Ｍのいずれかの段階で不正判定が得られた場合には、その段階の許可レベル以下に設定されている全てのラインのスイッチ１３にオフ指令を送ると共にそれ以外のラインのスイッチにオン指令を送り、許可レベル以下のラインのコンテンツ伝送を遮断する（ステップＳ２５１〜Ｓ２５Ｍ）。
【００２６】
以上の優先度判定方法を採用することにより、多重化許可レベルが予め決められたレベルに満たないコンテンツを全て不正と判定して多重化対象にしないので、不正の度合いに応じたコンテンツ伝送の制御を実現することができる。
【００２７】
（実施例）
図４は、具体的に、本発明を適用したコンテンツ多重記録再生装置の一実施例を示すブロック図である。
【００２８】
図４において、２１１はＤＶＤオーディオディスク再生装置である。この装置２１１でＤＶＤオーディオディスクから読み出されるコンテンツデータは、ＣＰＰＭ検知部２１２でＣＰＰＭ規格に基づく暗号化の有無を検知するチェック（以下、ＣＰＰＭ暗号化チェック）を受け、デマックス処理部２１３で映像データと音声データに分離される。このうち、音声データは第１デコード処理部２１４でデコードされて第１非圧縮音声信号として取り出される。この第１非圧縮音声信号は、第１スイッチ２３２を介して多重化処理部２３４に送られ、同時に第１ウォータマーク処理部２１６に送られる。この第１ウォータマーク処理部２１６は、デコードされた音声信号からウォータマークを検出し、このウォータマークがコピーフリー以外を示しているか否かを判別するもので、この判別結果はＣＰＰＭ検知部２１２の暗号化チェック結果と共にスイッチング制御部２３１に送られる。
【００２９】
一方、２２１はＳＤカード記録再生装置である。この装置２２１でＳＤカードから読み出されるコンテンツデータは、ＣＰＲＭ検知部２２２でＣＰＲＭ規格に基づく暗号化の有無を検知するチェック（以下、ＣＰＲＭ暗号化チェック）を受け、第２デコード処理部２２３でデコードされて、第２非圧縮音声信号として取り出される。この第２非圧縮音声信号は、第２スイッチ２３３を介して上記多重化処理部２３４に送られ、同時に第２ウォータマーク処理部２２５に送られる。この第２ウォータマーク処理部２２５は、第１ウォータマーク処理部２１６と同様に、コピーフリー以外を示しているか否かを判別するもので、この判別結果はＣＰＲＭ検知部２２２の暗号化チェック結果と共にスイッチング制御回路２３１に送られる。
【００３０】
上記スイッチング制御部２３１は、ＣＰＰＭ検知部２１２の暗号化チェック結果、第１ウォータマーク処理部２１６のコピーフリー判別結果、ＣＰＲＭ検知部２２２の暗号化チェック結果、第２ウォータマーク処理部２２５のコピーフリー判別結果に基づいて、第１、第２スイッチ２３２，２３３をオン・オフ制御することで第１、第２非圧縮音声信号を選択的に導出する。
【００３１】
上記多重化処理部２３４は、第１、第２スイッチ２３２，２３３によって導出された音声信号を取り込んで、所定のフォーマットで多重（ミキシング）することで音声多重化信号を生成するもので、ここで生成された音声多重化信号は、図示しない記録装置に送られ、適宜記憶される。
【００３２】
上記構成によるコンテンツ多重記録再生装置において、スイッチング制御部２３１は、図５に示すフローチャートの手順に従って行われる。まず、ＣＰＰＭ／ＣＰＲＭ検知部２１２，２２２の暗号化チェック結果を収集し（ステップＳ３１）、続いて第１、第２ウォータマーク処理部２１６，２２５からコピーフリー判別結果を収集して（ステップＳ３２）、ＤＶＤオーディオ側コンテンツデータ、ＳＤカード側コンテンツデータそれぞれについて、「暗号化させていないがコピーコントロールがある」ことを判定する（ステップＳ３３）。
【００３３】
暗号化されていない状態でコピーコントロールがあるということは、伝送コンテンツが不正にコピーされていることを意味しており、この場合は「不正コピーされたコンテンツである」との判定を下して第１及び第２スイッチ２３２，２３３をオフ状態にセットしてコンテンツデータの伝送を遮断する（ステップＳ３４）。それ以外、すなわち「暗号化されている」、「コピーコントロールがない（コピーフリー）」の場合には、不正コピーされていないとの判定を下し、第１及び第２スイッチ２３２，２３３をオンにセットしてコンテンツデータを伝送状態とする（ステップＳ３５）。
【００３４】
すなわち、ＣＰＰＭ／ＣＰＲＭ規格を採用するメディアでは、コピーコントロール情報であるウォータマークを利用することで、不正コピーのコンテンツをより的確に再生不能とすることができる。
【００３５】
そこで、上記実施例において、例えば、ＤＶＤオーディオディスク再生装置で不正にコピーされたＤＶＤオーディオディスクからオーディオデータが再生され、ＳＤカード記録再生装置２２１で正規に作成されたオーディオデータが再生されたとする。このとき、不正コピーされたＤＶＤオーディオディスクでは、コンテンツデータの暗号化が解除されているが、ウォータマークがコピーコントロール有りの状態となっている。一方、ＳＤカードに記録されている正規に作成したコンテンツデータでは、暗号化されているか、暗号化されていない状態ではウォータマークがコピーフリーの状態となっている。
【００３６】
したがって、ＤＶＤ側、ＳＤカード側のＣＰＰＭ／ＣＰＲＭ検知部２１２，２２２の暗号化チェック結果がいずれも暗号化されていないと判定された場合でも、ＤＶＤ側のウォータマークにコピーコントロールが示されていて矛盾が生じる。このため、不正コピー発覚により第１及び第２スイッチ２３２，２３３がオフ状態にセットされ、いずれのコンテンツデータ（オーディオデータ）の伝送も遮断される。
【００３７】
尚、上記実施例では、ＤＶＤオーディオディスクの不正コピーが発覚された場合に、ＳＤカード側も遮断するようにしたが、不正コピーがなされたＤＶＤオーディオ再生側のみ遮断し、ＳＤカード側のコンテンツデータは伝送するようにしても同様に実施可能である。
【００３８】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３９】
【図１】この発明の実施の形態であるコンテンツ多重化装置の構成を示すブロック図。
【図２】図１に示すスイッチング制御回路の処理の流れを示すフローチャート。
【図３】図１に示すスイッチング制御回路の優先度判定方法を採用した場合の処理の流れを示すフローチャート。
【図４】本発明を適用したコンテンツ多重記録再生装置の一実施例を示すブロック図。
【図５】図４に示すスイッチング制御部の処理の流れを示すフローチャート。
【符号の説明】
【００４０】
Ｌ１〜Ｌｎ…第１乃至第ｎのコンテンツ伝送ライン、１１１〜１１ｎ…第１乃至第ｎの不正判定回路、１２…スイッチング制御回路、１３１〜１３ｎ…第１乃至第ｎのスイッチ、１４…多重化回路、２１１…ＤＶＤオーディオディスク再生装置、２１２…ＣＰＰＭ検知部、２１３…デマックス処理部、２１４…第１デコード処理部、２１６…第１ウォータマーク処理部、２２１…ＳＤカード記録再生装置、２２２…ＣＰＲＭ検知部、２２３…第２デコード処理部、２２５…第２ウォータマーク処理部、２３１…スイッチング制御部、２３２…第１スイッチ、２３３…第２スイッチ、２３４…多重化処理部。
【図１】
2006127246.tif 000003
【図２】
2006127246.tif 000004
【図３】
2006127246.tif 000005
【図４】
2006127246.tif 000006
【図５】
2006127246.tif 000007